(57)【特許請求の範囲】
【請求項１】
携帯時計の文字盤の下部に扁平空間を形成し、その扁平空間に発音体を収容し、その扁平空間の側面へ前記発音体の発音面を向けると共に、前記発音体の発音面が向けられていない側面の一部に高さ０．８ｍｍ〜１．８ｍｍの警報音を外部へ発する放音口を設け、さらに、前記扁平空間の上部または下部の一方または両方にコニカルホーン状の前記側面に対して１０°〜４０°の傾斜をもつテーパ面を形成したことを特徴とする携帯時計。
【請求項２】
請求項１に記載の携帯時計において、当該携帯時計を腕時計とし、手首を曲げることにより押すことが出来るプッシュスイッチを設け、そのプッシュスイッチにより前記発音体の作動をオン／オフ可能にしたことを特徴とする携帯時計。
【請求項３】
中空容器の扁平空間に内設する発音体から警報音を発生する警報装置において、前記扁平空間に発音体を収容し、その扁平空間の側面へ前記発音体の発音面を向けると共に、前記発音体の発音面が向けられていない側面の一部に高さ０．８ｍｍ〜１．８ｍｍの警報音を外部へ発する放音口を設け、さらに、前記扁平空間の上部または下部の一方または両方にコニカルホーン状の前記側面に対して１０°〜４０°の傾斜をもつテーパ面を形成したことを特徴とする警報装置。
【請求項４】
請求項３に記載の警報装置において、前記中空容器を装身具の内部に設けたことを特徴とする警報装置。
【発明の詳細な説明】
【０００１】
【発明の属する技術分野】
本発明は、携帯時計および警報装置に関し、さらに詳しくは、小型でも非常に大きい警報音を発することが出来る携帯時計および警報装置に関する。
【０００２】
【従来の技術】
実開平４−５２２９９号公報には、中空容器に発音体を内設すると共に、前記発音体の発音面に対向する容器面には警報音を外部に発するための放音口を設けず、対向容器面の背面と側面の一方または両方に警報音を外部に発するための放音口を設ける技術が提案されている。
なお、背景技術としては、実公平５−１４３１４号公報や特公平７−４４７４９号公報に開示の技術がある。
【０００３】
【発明が解決しようとする課題】
実開平４−５２２９９号公報に開示の技術によれば、発音体から発生した警報音が、発音面に対向する容器内面で反射され、容器内空間に共鳴した後、前記放音口から外部に発されるから、前記容器内空間が比較的小さくても、非常に大きな警報音を発することが出来る。従って、装身具として身に付け得る程度のサイズにまで警報ブザーを小型化できる。
しかし、実開平４−５２２９９号公報に開示の技術でも小型化に限界があり、腕時計サイズにまで小型化すると、警報音が小さくなってしまう問題点があった。
そこで、本発明の目的は、腕時計サイズにまで小型化しても非常に大きい警報音を発することが出来る携帯時計および警報装置を提供することにある。
【０００４】
【課題を解決するための手段】
第１の観点では、本発明は、携帯時計の文字盤の下部に空間を形成し、その空間に発音体を収容し、その空間の側面へ前記発音体の発音面を向けると共に、その側面の一部に警報音を外部へ発する放音口を設け、さらに、前記空間の上部または下部の一方または両方にコニカルホーン状のテーパ面を形成したことを特徴とする携帯時計を提供する。
本発明の発明者が鋭意研究したところ、発音体を収容する空間の上部または下部の一方または両方にコニカルホーン状のテーパ面を形成すると、発音体から発生した警報音が空間で増幅されることが判った。また、前記空間の側面に放音口を設けると、増幅された後の警報音が外部へ発されることが判った。
そこで、上記第１の観点による携帯時計では、腕時計サイズにまで小型化しても、非常に大きい警報音を発することが出来るようになった。
【０００５】
第２の観点では、本発明は、上記構成の携帯時計において、前記テーパ面の傾斜を前記側面に対して１０°〜４０°としたことを特徴とする携帯時計を提供する。
本発明の発明者が鋭意研究したところ、前記コニカルホーン状のテーパ面の傾斜を前記側面に対して１０゜より小さくしたり，４０゜より大きくすると、１０°〜４０°とした場合よりも空間での増幅度が低下することが判った。
そこで、上記第２の観点による携帯時計では、前記テーパ面の傾斜を前記側面に対して１０°〜４０°とすることにより、高い増幅度を得ることが出来る。
【０００６】
第３の観点では、本発明は、上記構成の携帯時計において、放音口の形状を高さ０．８ｍｍ〜１．８ｍｍとしたことを特徴とする携帯時計を提供する。
前記放音口の形状を高さ０．８ｍｍ未満にすると、警報音が外部へ出にくくなる。一方、高さを１．８ｍｍより大きくすると、空間で十分に増幅されないまま警報音が外部へ出てしまう。
そこで、上記第３の観点による携帯時計では、放音口の形状を高さ０．８ｍｍ〜１．８ｍｍとすることにより、十分増幅された後の警報音を効率良く外部へ出せるようになる。
【０００７】
第４の観点では、本発明は、上記構成の携帯時計において、当該携帯時計を腕時計とし、手首を曲げることにより押すことが出来るプッシュスイッチを設け、そのプッシュスイッチにより前記発音体の作動をオン／オフ可能にしたことを特徴とする携帯時計を提供する。
警報音を発したい状況では、しばしば身動きが困難な場合があり、携帯時計をポケットから取り出したり、一方の手で持って他方の手でスイッチ操作することが出来ない場合もある。
しかるに、上記第４の観点による携帯時計では、腕時計としたため、ポケットから取り出す必要がない。また、手首を曲げるだけでスイッチ操作できる。従って、身動きが困難な場合でも、手首さえ動けば、警報音を発することが出来るようになる。
【０００８】
第５の観点では、本発明は、中空容器に内設する発音体から警報音を発生する警報装置において、前記発音体を収容した空間の側面へ当該発音体の発音面を向けると共に、その側面の一部に警報音を外部へ発する放音口を設け、さらに、前記空間の上部または下部の一方または両方にコニカルホーン状のテーパ面を形成したことを特徴とする警報装置を提供する。
本発明の発明者が鋭意研究したところ、発音体を収容する空間の上部または下部の一方または両方にコニカルホーン状のテーパ面を形成すると、発音体から発生した警報音が空間で増幅されることが判った。また、前記空間の側面に放音口を設けると、増幅された後の警報音が外部へ発されることが判った。
そこで、上記第５の観点による警報装置では、腕時計サイズにまで小型化しても、非常に大きい警報音を発することが出来る。
【０００９】
第６の観点では、本発明は、上記構成の警報装置において、前記テーパ面の傾斜を前記側面に対して１０°〜４０°としたことを特徴とする警報装置を提供する。
本発明の発明者が鋭意研究したところ、前記コニカルホーン状のテーパ面の傾斜を前記側面に対して１０゜より小さくしたり，４０゜より大きくすると、１０°〜４０°とした場合よりも空間での増幅度が低下することが判った。
そこで、上記第６の観点による警報装置では、前記テーパ面の傾斜を前記側面に対して１０°〜４０°とすることにより、高い増幅度を得ることが出来る。
【００１０】
第７の観点では、本発明は、上記構成の警報装置において、前記中空容器を装身具の内部に設けたことを特徴とする警報装置を提供する。
上記第７の観点による警報装置は、他人に気付かずに且つ楽しく自然に警報装置を携帯することが出来る。
【００１１】
【発明の実施の形態】
以下、図に示す実施形態により本発明をさらに詳しく説明する。なお、これにより本発明が限定されるものではない。
−第１の実施形態−
図１は、本発明の第１の実施形態にかかる腕時計の上面図である。
この腕時計１００は、ベルトＢａ，Ｂｂにより腕に装着でき、中空容器１の上部のガラス２を通して針６と文字盤７が見えている。また、中空容器１の側部に、竜頭９とプッシュスイッチ１４が突出している。
前記中空容器１は、上部がテーパ面になっている円筒形状であり、その外径は例えば３５ｍｍである。
【００１２】
図２は、上記腕時計１００の側面図である。
放音孔３が、中空容器１の側面に開口している。
前記放音孔３は、例えば高さ１．３ｍｍのスリット状である。
【００１３】
図３は、上記腕時計１００の側断面図である。
中空容器１の上部には時計部５があり、下部には警報装置部１０がある。
前記時計部５は、針６と，文字盤７と，時計駆動部８とからなっている。前記時計駆動部８は、電池を内蔵している。
前記警報装置部１０は、基板１１と，発音体駆動回路１２と，発音体１３と，プッシュスイッチ１４と，電池１５とからなっている。
前記発音体１３が収容されている空間Ｓの上部は、コニカルホーン状のテーパ面Ｐｔになっている。そのテーパ面Ｐｔの傾斜は、側面Ｐｓに対して例えば２５°になっている。
前記発音体１３の発音面Ｈｍは、側面Ｐｓの放音孔３のない部分に向けられている。
文字盤７の下面から基板１１の上面までの距離は例えば６ｍｍであり、そのうちの上部４ｍｍがテーパ面Ｐｔになっており、下部２ｍｍの部分に放音孔３が設けられている。
【００１４】
図４は、上記腕時計１００の時計部５を外した上面図である。
放音孔３は、３ヵ所に設けられている。
前記プッシュスイッチ１４はトグル動作になっており、押す度にオンからオフへ，オフからオンに反転し、警報音を発したり，止めたりする。
【００１５】
図５に示すように、手首を曲げると、プッシュスイッチ１４を押すことが出来る。従って、身動きが困難な場合でも、手首さえ動けば、警報音を発することが出来るようになる。
【００１６】
以上の腕時計１００では、発音体１３の発音面Ｈｍから発生した音が発音面Ｈｍに対向する容器内面で反射され、さらに他の容器内面でも反射され、ピストンのように往復反射し、空間Ｓで共鳴し、同時にコニカルホーン状のテーパ面Ｐｔで増幅される。そして、放音口３から外部に発される。このため、前記空間Ｓが腕時計サイズの程度まで小さくても、非常に大きな警報音を発することが出来る。また、腕時計であるため、自然に身につけることが出来る。さらに、手首だけで操作できるため、身動きが困難な場合でも、警報音を発することが出来る。
【００１７】
−第２の実施形態−
図６は、本発明の第２の実施形態にかかる腕時計の断面図である。
この腕時計２００は、基板１１の下面に発音体１３を設けると共に、空間Ｓの下部にコニカルホーン状のテーパ面Ｐｔを形成したものである。これ以外の構成は上記腕時計１００と同様である。
【００１８】
−他の実施形態−
本発明の他の実施形態としては、前記警報装置部１０を、懐中時計や，ペンダントや，ブローチや，ネームプレートに内蔵したものが挙げられる。
【００１９】
【発明の効果】
本発明の携帯時計および警報装置によれば、次の効果が得られる。
（１）腕時計サイズにまで小型化しても非常に大きい警報音を発することが出来る。
（２）腕時計サイズにまで小型化できるため、携帯時計や装身具に内蔵でき、自然に身につけることが出来る。
（３）腕時計とし且つ手首だけで操作可能にできるため、身動きが困難な状況に置かれた場合でも、警報音を発することが出来る。
【図面の簡単な説明】
【図１】本発明の第１の実施形態にかかる腕時計の上面図である。
【図２】図１の腕時計の側面図である。
【図３】図１の腕時計の側断面図である。
【図４】図１の腕時計の警報装置部の上面図である。
【図５】図１の腕時計の手首による操作の説明図である。
【図６】本発明の第２の実施形態にかかる腕時計の側断面図である。
【符号の説明】
１００，２００    腕時計
１                中空容器
３                放音孔
５                時計部
１０              警報装置部
１２              発音体駆動回路
１３              発音体
１４              プッシュスイッチ
１５              電池
Ｈｍ              発音面
Ｓ                空間
Ｐｓ              側面
Ｐｔ              テーパ面
【図１】
0003572535.tif 000002
【図２】
0003572535.tif 000003
【図３】
0003572535.tif 000004
【図４】
0003572535.tif 000005
【図５】
0003572535.tif 000006
【図６】
0003572535.tif 000007